(57)【要約】【課題】  流量に変化が生じた場合であってもスケールを適切に除去する逆電圧を印加するイオン水生成装置を提供する。【解決手段】  流量センサー５１で検出した流量に基づいて逆電圧を印加するので、電解槽１０に流入してくる水の流入量が変化し、この変化に応じてイオン水生成に消費される消費電力が増減する場合に、逆電圧の制御も水の流量に基づいてなされており、スケール除去の目的に沿った逆電圧の印加が適切になされる。【選択図】  図６
2006263663.tif 000002
【特許請求の範囲】
【請求項１】
電極が配設された電解槽に電圧を印加してイオン水を生成し、当該イオン水生成中に逆電圧を印加するイオン水生成装置において、
装置内に流入する流量を検出する流量センサーで検出された流量に基づいて、逆電圧を制御する
イオン水生成装置。
【請求項２】
電極が配設された電解槽に電圧を印加してイオン水を生成し、当該イオン水生成中に逆電圧を印加するイオン水生成装置において、
装置内に流入する流量を検出する流量センサーで検出された流量に基づいて、逆電圧の印加時間を制御する
イオン水生成装置。
【請求項３】
電極が配設された電解槽に電圧を印加してイオン水を生成し、当該イオン水生成中に逆電圧を印加するイオン水生成装置において、
装置内に流入する流量を検出する流量センサーで検出された流量に基づいて、逆電圧の電圧を制御する
イオン水生成装置。
【請求項４】
電極が配設された電解槽に電圧を印加してイオン水を生成し、当該イオン水生成中に逆電圧を印加するイオン水生成装置において、
装置内に流入する流量を検出する流量センサーで検出された流量に基づいて、逆電圧の電圧及び印加時間を制御する
イオン水生成装置。
【請求項５】
前記逆電圧の最大電圧が、順電圧の最大電圧の１倍より大きくて３倍以下である
イオン水生成装置。
【請求項６】
順電圧の積分値の絶対値と逆電圧の積分値の絶対値とが所定比であるように電圧及び電圧印加時間を制御する
前記請求項１ないし５のいずれかに記載のイオン水生成装置。
【請求項７】
順電圧期間と逆電圧期間とからなる周期で電解槽に電圧を印加するイオン水生成装置であって、
流量センサーで検出した流量に変化が生じた場合に、逆電圧の制御を所定周期又は所定時間後に実行する
前記請求項１ないし６のいずれかに記載のイオン水生成装置。
【請求項８】
流量センサーによる流量変化が生じた場合に、流量の変化分が所定範囲内であれば、逆電圧の制御を実行しない
前記請求項１ないし７のいずれかに記載のイオン水生成装置。
【請求項９】
流量と逆電圧の電圧及び／又は印加時間とを対応づけて記録する記憶手段を有し、
流量センサーで流量を検出した場合に、検出した流量に対応する逆電圧の電圧及び／又は印加時間を記憶手段から読み出し、読み出した逆電圧の電圧及び／又は印加時間に従い逆電圧を印加する
前記請求項１ないし８のいずれかに記載のイオン水生成装置。
【請求項１０】
順電圧期間と逆電圧期間とからなる周期で電解槽に電圧を印加するイオン水生成装置であって、
所定周期又は所定時間の間に装置内に流入してきた流入量に基づいて、逆電圧を制御する
前記請求項１ないし９のいずれかに記載のイオン水生成装置。
【請求項１１】
流量に基づいて電解槽の電極に印加する順電圧及び／又は順電圧の印加時間を制御する
前記請求項１ないし１０のいずれかに記載のイオン水生成装置。
【請求項１２】
電極が配設された電解槽に電圧を印加してイオン水を生成し、当該イオン水生成中に逆電圧を印加するイオン水生成装置において、
電解槽に配設された電極での消費電力に基づいて、逆電圧を制御する
イオン水生成装置。
【発明の詳細な説明】
【技術分野】
【０００１】
本発明は、水を電解槽にて電気分解しイオン水を生成するイオン水生成装置に関し、特に、極性を逆転して電圧を印加する逆電圧の制御に関する。
【背景技術】
【０００２】
本発明の背景技術となるイオン水生成装置は、特許第３４５４５５６号公報に開示されるものがある。以下、この背景技術のイオン水生成装置を説明する。
【０００３】
背景技術のイオン水生成装置は、供給水を複数の電極の間に隔膜を設けた電解槽に導入し、電気分解することによりアルカリイオン水と酸性水とを生成するものであって、各電極に印加する電圧を一定周期内で逆転させ、かつ、順電圧の積分値と逆電圧の絶対値の積分値との比が２４：１から３５：１の範囲内になるように電圧値及び電圧印加時間が設定されているものである。
【０００４】
この背景技術のイオン水生成装置によれば、長時間使用しても付着物が電極等に多量に生じない。
【特許文献１】特許第３４５４５５６号
【発明の開示】
【発明が解決しようとする課題】
【０００５】
前記背景技術のイオン水生成装置は、以上のように構成されており、電圧を縦軸、時間を横軸とした場合の積分値が所定比となるように電圧値及び電圧印加時間を設定するものであり、流量に変化が生じた場合であってもかかる流量の変化に対応して電圧を制御するものではなく、逆電圧の制御も流量により変化しないという課題を有する。
【０００６】
本発明は前記課題を解決するためになされたものであり、流量に変化が生じた場合であってもスケールを適切に除去する逆電圧を印加するイオン水生成装置を提供することを目的とする。
【課題を解決するための手段】
【０００７】
本発明に係るイオン水生成装置は、電極が配設された電解槽に電圧を印加してイオン水を生成し、当該イオン水生成中に逆電圧を印加するイオン水生成装置において、装置内に流入する流量を検出する流量センサーで検出された流量に基づいて、逆電圧を制御するものである。このように本発明においては、流量センサーで検出した流量に基づいて逆電圧を印加するので、電解槽に流入してくる水の流入量が変化し、この変化に応じてイオン水生成に消費される消費電力が増減する場合に、逆電圧の制御も水の流量に基づいてなされており、スケール除去の目的に沿った逆電圧の印加が適切になされる。適切になされるとは、スケール除去のための逆電圧が過剰でもなく、過小でもないことを意味する。流量が減ると水の流入量が減少して印加される順電圧が小さくなり、イオン水生成に使用される消費電力が減少するため、スケール除去のための逆電圧の消費電力も少なくてよい。一方、流入が増加すると水の流入量が増加して印加される順電圧が大きくなり、イオン水生成に使用される消費電力が増加するため、スケール除去のための逆電圧の消費電力も多く必要となる。
【０００８】
また、本発明に係るイオン水生成装置は、電極が配設された電解槽に電圧を印加してイオン水を生成し、当該イオン水生成中に逆電圧を印加するイオン水生成装置において、
装置内に流入する流量を検出する流量センサーで検出された流量に基づいて、逆電圧の印加時間を制御するものである。このように本発明においては、流入センサーで検出した流入量に基づいて逆電圧の印加時間を制御するので、イオン水生成のための電圧印加に使用するエネルギーに対応してスケール除去のための電圧印加に使用するエネルギーも増減し、過不足なく適切にスケールを除去することができる。特に、逆電圧の印加時間を制御する場合で逆電圧の電圧を変化させない場合には、電圧を変化させる必要がない分簡単な構成となる。
【０００９】
また、本発明に係るイオン水生成装置は、電極が配設された電解槽に電圧を印加してイオン水を生成し、当該イオン水生成中に逆電圧を印加するイオン水生成装置において、装置内に流入する流量を検出する流量センサーで検出された流量に基づいて、逆電圧の電圧を制御するである。このように本発明においては、流入センサーで検出した流入量に基づいて逆電圧の電圧を制御するので、イオン水生成のための電圧印加に使用するエネルギーに対応してスケール除去のための電圧印加に使用するエネルギーも増減し、過不足なく適切にスケールを除去することができる。特に、逆電圧の電圧を制御する場合で逆電圧の印加時間を変化させない場合には、順電圧及び逆電圧を含めた処理時間が同じとなる。逆電圧の印加時間が一定であり長くなることがないため、ｐＨの安定性に繋がる。逆電圧の印加時間が長いのと比べ、短時間で高い電圧を印加することで、電極に流れる突発の程度が高く、スケールの除去をし易くなる。
【００１０】
また、本発明に係るイオン水生成装置は、電極が配設された電解槽に電圧を印加してイオン水を生成し、当該イオン水生成中に逆電圧を印加するイオン水生成装置において、装置内に流入する流量を検出する流量センサーで検出された流量に基づいて、逆電圧の電圧及び印加時間を制御するものである。このように本発明においては、流入センサーで検出した流入量に基づいて逆電圧の印加時間及び電圧を制御するので、イオン水生成のための電圧印加に使用するエネルギーに対応してスケール除去のための電圧印加に使用するエネルギーも増減し、過不足なく適切にスケールを除去することができる。特に、逆電圧の印加時間だけでなく電圧を含めて制御することで、流量が著しく高くなった場合であっても、逆電圧の印加時間が相当長くなったり、電圧が相当高くなったりすることがない。したがって、このように逆電圧の印加時間及び電圧の２つを同時に制御するのは、流量がある閾値を越えた場合に限って行うことが望ましい。
【００１１】
また、本発明に係るイオン水生成装置は、前記逆電圧の最大電圧が、順電圧の最大電圧の１倍より大きくて３倍以下であるものである。このように本発明においては、逆電圧の最大電圧が順電圧の最大電圧よりも大きくて短い時間で適切にスケール防止をすることができると共に、逆電圧の最大電圧が順電圧の最大電圧の３倍以下となっており、回路構成上順電圧の過電圧を適切に検出することができ、安全である。
【００１２】
また、本発明に係るイオン水生成装置は必要に応じて、順電圧の積分値の絶対値と逆電圧の積分値の絶対値とが所定比であるように電圧及び電圧印加時間を制御するものである。このように本発明においては、順電圧と逆電圧の積分値の絶対値の比が所定比であるように順電圧と逆電圧の電圧及び電圧印加時間を制御するので、順電圧の電圧及び電圧印加時間の変化に追随して所定比の元に逆電圧の電圧及び電圧印加時間も変化し、順電圧の電圧及び電圧印加時間に変化が生じた場合であってもそれに対応した逆電圧を印加して過不足なくスケールを除去することができる。
【００１３】
また、本発明に係るイオン水生成装置は必要に応じて、順電圧期間と逆電圧期間とからなる周期で電解槽に電圧を印加するイオン水生成装置であって、流量センサーで検出した流量に変化が生じた場合に、逆電圧の制御を所定周期又は所定時間後に実行するものである。このように本発明においては、流量センサーで継続して流量を検出しているときに、流量の変化が生じて逆電圧の制御を行う場合に、所定周期又は所定時間後にかかる逆電圧の制御を行っているので、流量が短い時間で変化している場合であってもかかる変化全てに追随して逆電圧の制御を行わず、適切な間隔での制御を行って必要性の少ない処理のための動作を回避することができる。例えば、一時的に流量が変化した場合に逆電圧の制御をしなくて済む。
【００１４】
また、本発明に係るイオン水生成装置は必要に応じて、流量センサーによる流量変化が生じた場合に、流量の変化分が所定範囲内であれば、逆電圧の制御を実行しないものである。このように本発明においては、流量センサーで検出した流量に変化が生じた場合であっても、流量の変化分が所定範囲内であるとき、逆電圧の制御を実行しないので、わずかな流量の増減により、必要性の低い動作を行うことを抑制することができる。逆電圧の制御を実行しないとは、逆電圧をまったく印加しないということではなく、流量の変化に伴い異なる逆電圧の制御をしないということである。
【００１５】
また、本発明に係るイオン水生成装置は必要に応じて、流量と逆電圧の電圧及び／又は印加時間とを対応づけて記録する記憶手段を有し、流量センサーで流量を検出した場合に、検出した流量に対応する逆電圧の電圧及び／又は印加時間を記憶手段から読み出し、読み出した逆電圧の電圧及び／又は印加時間に従い逆電圧を印加するものである。このように本発明においては、流量センサーで検出した流量に変化が生じた場合に、流量と逆電圧の電圧及び／又は印加時間とを対応させた記憶手段から変化後の流量に対応する逆電圧の電圧及び／又は印加時間を読み出し、当該逆電圧の電圧及び／又は印加時間に従って逆電圧を印加するので、逆電圧の制御が記憶手段に記憶されたデータに基づいてなされ、安定した動作を実現することができる。逆電圧の電圧及び／又は印加時間を動的に演算して求める場合には、演算に伴う遅延だけでなく、高機能なマイコンを配設する必要があり、コスト高となってしまう。記憶手段に記録されている流量は、流量の範囲であることが望ましい。流量の範囲が小さければきめ細かい制御が可能となる。流量の範囲が大きければデータの読み出し回数の減少及びメモリの確保領域の減少を望める。
【００１６】
また、本発明に係るイオン水生成装置は必要に応じて、順電圧期間と逆電圧期間とからなる周期で電解槽に電圧を印加するイオン水生成装置であって、所定周期又は所定時間の間に装置内に流入してきた流入量に基づいて、逆電圧を制御するものである。このように本発明においては、所定周期の間の流入量又は所定時間の流入量に基づいて逆電圧を制御するので、流量に変化が生じる度に逆電圧の制御を行うものと比べ、動作の安定性に優れ、正確にスケールを除去することができる。すなわち、流量の一時の変化に左右されずに安定的に動作する。この所定時間の間に、流量が増加し、その後に減少した場合には、その変化分が相殺されて、逆電圧の制御がなされることとなる。
【００１７】
また、本発明に係るイオン水生成装置は必要に応じて、流量に基づいて電解槽の電極に印加する順電圧及び／又は順電圧の印加時間を制御するものである。このように本発明においては、流量に基づいて順電圧及び／又は順電圧の印加時間を制御するイオン水生成装置に適用した場合には、流量に基づいて適切な順電圧制御がなされ所望のPHのイオン水を生成することができると共に、流量に基づいて適切な逆電圧制御がなされスケールの付着を防止することができる。また、順電圧制御も逆電圧制御も流量に基づいて制御しており、流量以外のものを検出する必要がなく、簡易な制御で実現することができる。
【００１８】
また、本発明に係るイオン水生成装置は、電極が配設された電解槽に電圧を印加してイオン水を生成し、当該イオン水生成中に逆電圧を印加するイオン水生成装置において、電解槽に配設された電極での消費電力に基づいて、逆電圧を制御するものである。このように本発明においては、電解槽の電極で消費される電力に基づき逆電圧を制御するので、電解槽の電極の電圧及び電圧印加時間だけでなく、電流も加味され実際にスケール必要な逆電圧を印加することができる。水質により水の導電率は変化するため、それに応じた逆電圧の制御を実現することができる。
【００１９】
これら前記の発明の概要は、本発明に必須となる特徴を列挙したものではなく、これら複数の特徴のサブコンビネーションも発明となり得る。
【発明を実施するための最良の形態】
【００２０】
本発明は多くの異なる形態で実施可能である。したがって、下記の各実施形態の記載内容のみで解釈すべきではない。また、各実施形態の全体を通して同じ要素には同じ符号を付けている。
【００２１】
（本発明の第１の実施形態）
本発明の第１の実施形態に係るイオン水生成装置について、図に基づき説明する。
本実施形態に係るイオン水生成装置は、電極が配設された電解槽１０に電圧を印加してイオン水を生成し、このイオン水生成中に逆電圧を印加するものであって、装置内に流入する流量を検出する流量センサー５１で検出された流量に基づいて、制御回路５０が逆電圧を制御する構成である。より詳細には、流量センサー５１で検出された流量に基づいて、制御回路５０が逆電圧の電圧を制御するものである。さらに、流量と逆電圧の電圧とを対応づけて記録する記憶手段であるＲＯＭ５４を有し、流量センサー５１で流量を検出した場合に、制御回路５０が検出した流量に対応する逆電圧の電圧をＲＯＭ５４から読み出し、制御回路５０が読み出した逆電圧の電圧に従い逆電圧を印加するものである。ここで、記憶手段をＲＯＭ５４としたが、これに限定されることなく、ハードディスクやフロッピーディスクなどの外部記憶装置(補助記憶装置)や、ＲＡＭ、ＰＲＯＭ、ＥＰＲＯＭ、ＥＥＰＲＯＭなどの半導体メモリであってもよい。
【００２２】
［据え置きタイプのイオン水生成装置］
図１に示すように本実施形態に係るイオン水生成装置は、第１の電極板１１が中央に位置し、この第１の電極板１１を挟み込むように位置する２つの電極板（第２の電極板１２、第３の電極板１３）を有する電解槽１０を備える。この電解槽１０は、第１の電極板１１と第２の電極板１２との間、及び、第１の電極板１１と第３の電極板１３との間にそれぞれ隔壁１４を有し、これら電極板１１、１２、１３、隔壁１４により４つの電解室１５、１６、１７、１８を構成し、それぞれ、第１の電解室１５、第２の電解室１６、第３の電解室１７、第４の電解室１８とする。第２の電極板１６と第３の電極板１７は、電源部６１からの供給を受け、陰極板又は陽極板となり、同一極の電極板となる。一方、第１の電極板１１は、第２の電極板１２と第３の電極板１３の極とは逆の極となって、すなわち、第２の電極板１２と第３の電極板１３が陰極板となっている場合には陽極板となり、逆に、第２の電極板１２と第３の電極板１３が陽極板となっている場合には陰極板となる。各電解室１５、１６、１７、１８には水の流入口と流出口が設けられており、流出口は補助電解槽２０への補助電解槽水路８１が接続されている。第１の電解室１５と第４の電解室１８の補助電解槽水路８１は合流し１つの補助電解槽水路８１となって補助電解槽２０の第２の補助電解室２５の流入口と接続し、同様に、第２の電解室１６と第３の電解室１７の補助電解槽水路８１は合流し１つの補助電解槽水路８１となって補助電解槽２０の第１の補助電解室２４の流入口と接続する。
【００２３】
補助電解槽２０は、第１の補助電極板２１、第２の補助電極板２２及び隔壁２３からなり、電解槽１０を通水してきた水を再び電解することができ、ここでの電解は活性水素量を増加させるために行う。この補助電解槽２０の第１の補助電解室２４の流出口は排出水路７２と接続しており、かかる排出水路８２上には排出口６２近辺に電磁弁６３が配設されている。他方、補助電解槽２０の第２の補助電解室２５の流出口は吐水水路８７と接続しこの吐水水路８７の先端が電解水吐水口６４となっている。
【００２４】
第１の電解室１５、第２の電解室１６、第３の電解室１７及び第４の電解室１８の流入口にはそれぞれ電解槽水路８３が接続されているが、この電解槽水路８３は手前で合流している。この合流した電解槽水路８３は一方が排出水路８２と逆止弁６５を介して接続している。
【００２５】
前記電解槽１０は、水道管６６から水道蛇口６７を介して水の供給を受けるわけであるが、水道蛇口６７には分岐栓６８が配設され、かかる分岐栓６８に給水ホース６９の一方が接続し、給水ホース６９の他方が下浄水カートリッジ３１の流入口と接続されている。下浄水カートリッジ３１は、主に活性炭が充填してある。下浄水カートリッジ３１の流出口は上浄水カートリッジ水路７４を介して上浄水カートリッジ３２の流入口と接続している。上浄水カートリッジ３２は、金属メッシュや布材、ろ紙などの比較的粗いフィルター以外に中空糸膜のような雑菌等まで除去可能なろ過手段である。上浄水カートリッジ３２の流出口は流量センサー水路８５を介して流量センサー５１の流入口と接続している。流量センサー５１は、流水量を測定可能に構成され、例えば、流量センサー５１中央部にプロペラを設け、かかるプロペラの回転数により流水量を測定するものである。流量センサー５１の流出口は、水路切替水路８６の一方と接続し、水路切替水路８６の他方が水路切替５２の流入口と接続している。水路切替５２は、流入口１つに対し、流出口を２つ持ち、一方の流出口が水路を介して食塩添加筒４１と接続し、他方の流出口が水路を介してカルシウム添加筒４２と接続し、切替を操作することで、流入口と一方の流出口が流通可能状態となる。食塩添加筒４１には、電解槽で水を強酸性にするために食塩（Nacl）を添加可能に備えてある。他方、カルシウム添加筒４２には、流入口から流入してくる水にカルシウムを添加可能に備えてある。食塩添加筒４１の流出口に接続されている水路とカルシウム添加筒４２に接続されている水路は合流しており、合流前の食塩添加筒４１の流出口に接続されている水路上に逆止弁７０が設けられている。
【００２６】
イオン水生成装置は既に説明したイオン水生成装置の構成要素の一部を各種制御する制御回路５０も備えている。かかる制御回路５０は制御するため、流量センサー５１、水路切替５２に備えてある強酸性検知スイッチ５３、第１の電極板１１、第２の電極板１２、第３の電極板１３、第１の補助電極板２１、第２の補助電極板２２と電気的に接続している。流量センサー５１は、検出した電気信号を制御回路５０に出力し、制御回路５０は流量センサー５１からの電気信号により通水量を計算する。強酸性検知スイッチ５３は、手動又は自動で切替可能な水路切替５２が現在の切替状態を制御回路５０に電器信号として出力する。第１の電極板１１、第２の電極板１２、第３の電極板１３、第１の補助電極板２１及び第２の補助電極板２２は、制御回路５０と間接的に接続され、制御回路５０が使用者のパネル操作により与えられた制御信号に基づき特定の電極板１１、１２、１３、２１、２２に電圧印加を行う。したがって、第１の電極板１１、第２の電極板１２、第３の電極板１３、第１の補助電極板２１及び第２の補助電極板２２は、電源部６１と電気的に接続され、制御回路５０はかかる電源回路からの電気の供給を制御している。
【００２７】
前記パネル９０は本イオン水生成装置の前面側中央に配設され、図３に示すように、使用者が操作可能なボタンとして、電源ボタン９０ａ、ORP表示ボタン９０ｂ、通水量表示ボタン９０ｃ、強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉ、衛生水（強酸性水）供給ボタン９０ｊ、寿命設定上ボタン９０ｋ、寿命設定下ボタン９０ｌ及びリセットボタン９０ｍがある。また、ペーハー（pH）、ORP、通水量等の情報を表示する7セグメントLED９１をも備える。電源ボタン９０ａは、本イオン水生成装置を起動させるためのボタンであり、どのような状態であっても有効なボタンである。電源ボタン９０ａを押下しても、排水処理等処理が途中であるものが終了していない場合はそれらの処理が終了して電源が落ちるようにすることが好ましい。ORP表示ボタン９０ｂは、前記7セグメントLED９１に現在の水のORPを表示させるためのボタンである。通水量表示ボタン９０ｃは、前記7セグメントLED９１に現在の水の通水量を表示させるためのボタンである。強アルカリ水供給ボタン９０ｄは、本イオン水生成装置に強アルカリ水の生成を指示するためのボタンであり、ボタンが有効となれば点灯する。強アルカリ水は、例えば、ペーハー（pH）が10.5であり、煮物、アク抜き、野菜ゆで等に使用することができる。第１レベルのアルカリ水供給ボタン９０ｅは、本イオン水生成装置に第１レベルのアルカリ水の生成を指示するためのボタンであり、ボタンが有効となれば点灯する。第１レベルのアルカリ水は、例えば、ペーハー（pH）が9.5であり、料理、お茶等に使用することができる。第２レベルのアルカリ水供給ボタン９０ｆは、本イオン水生成装置に第２レベルのアルカリ水の生成を指示するためのボタンであり、ボタンが有効となれば点灯する。第２レベルのアルカリ水は、例えば、ペーハー（pH）が9.0であり、炊飯等に使用することができる。第３レベルのアルカリ水供給ボタン９０ｇは、本イオン水生成装置に第３レベルのアルカリ水の生成を指示するためのボタンであり、ボタンが有効となれば点灯する。第３レベルのアルカリ水は、例えば、ペーハー（pH）が8.5であり、飲み始めの水等として使用することができる。浄水供給ボタン９０ｈは、本イオン水生成装置にイオン水を生成することなく水道水からの水をそのまま通水させることを指示するためのボタンであり、ボタンが有効となれば点灯する。酸性水供給ボタン９０ｉは、本イオン水生成装置に酸性水の生成を指示するためのボタンであり、ボタンが有効となれば点灯する。酸性水は、例えば、ペーハー（pH）が5.5であり、洗顔、麺ゆで、茶渋とり等に使用することができる。衛生水供給ランプ９０ｊは、本イオン水生成装置に衛生水の生成モードであることを示すものであり、ボタンが有効となれば点灯する。衛生水は、例えば、ペーハー（pH）が2.5である。寿命設定上ボタン９０ｋは、上浄水カートリッジ４２の種類に応じて寿命も異なるため、前記上浄水カートリッジ４２の寿命を設定するものであり、このボタンは、通常であれば、カートリッジを交換した時に今まで使用してきたカートリッジと異なるカートリッジをセットして使用する場合に１回行われるものである。寿命設定下ボタン９０ｌも、前記寿命設定上ボタン９０ｋと同様なものであり、下浄水カートリッジ３１に対するものである点のみ異なる。リセットボタン９０ｍは、現在まで積算されてきた通水量である積算通水量をリセットするものであり、実際には、制御回路５０に存在する積算通水量カウンタをクリアする。このリセットボタン９０ｍは、２秒長押しで有効となり、誤って押下されて積算通水量がリセットされるのを防止している。このリセットボタン９０ｍは、上浄水カートリッジ３２、又は、下浄水カートリッジ３１を交換した場合に、行われる。前記強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉの機能水の通水モードを示すボタンは、現在有効となっているボタンが点灯し、使用者に視認可能となっている。この他、電解槽１０内の温度上昇が生じた場合に、使用者に知らせるための温度上昇ランプ、上浄水カートリッジ３２の交換を促す上浄水カートリッジ交換時期ランプ９０ｐ、下浄水カートリッジ３１の交換を促す下浄水カートリッジ交換時期ランプ９０ｑも操作パネル９０上に配設されている。他に、洗浄中ランプ９０ｎ及びすすぎランプ９０ｏがある。選択されている機能水の種類を示す発光とは、本実施形態においては、強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉ及び衛生水供給ランプ９０ｊであり通水モードの表示である。ここで、本実施形態ではボタンとランプとを組み合わせたボタンであるが、別々の構成のものでもよい。
【００２８】
既に、各ボタンで説明した通り、本イオン水生成装置においては、大きく分けて、アルカリ水を供給するアルカリ水生成モード、浄水を供給する浄水モード、酸性水を供給する酸性水生成モード、衛生水を供給する衛生水生成モードの４つの生成モード（通水モード）がある。そして、アルカリ水生成モードには、アルカリ性の強い順に、強アルカリ水生成モード、第１レベルのアルカリ水生成モード、第２レベルのアルカリ水生成モード、第３レベルのアルカリ水生成モードがある。アルカリ水生成モードでは、前記電磁弁６３が開いた状態で、制御回路５０の制御により第２の電極板１２及び第３の電極板１３を陰極板とし、第１の電極板１１を陽極板とする。各レベルのアルカリ水生成モードでは、印加する電圧が異なり、強アルカリ水生成モード、第１レベルのアルカリ水生成モード、第２レベルのアルカリ水生成モード、第３レベルのアルカリ水生成モードの順に相対的に高い電圧が印加される。浄水モードでは、電磁弁６３を閉じた状態で、どの電極板１１、１２、１３にも電圧を印加せず、すなわち、電解しない。ここで、電磁弁６３を閉じることで、無駄な水が排出口６３から排出されることがなくなる。酸性水生成モードでは、前記アルカリ水生成モードとは逆で、制御回路５０の制御により第２の電極板１２及び第３の電極板１３を陽極板とし、第１の電極板１１を陰極板とする。
【００２９】
以上の生成モードを生成状態とすると、本イオン水生成装置には他の状態が存在し、電源が投入されていないパワーオフ状態、待機状態、排水状態、捨て水状態、洗浄状態、生成停止状態、リトライ状態、すすぎ状態及び消灯待機状態がある。
【００３０】
前記ＲＯＭ５４には、流量と逆電圧の電圧とが対応づけられた図５に示す流量−逆電圧対応テーブルを構成している。この流量−逆電圧対応テーブルは、流量の範囲及び逆電圧の他、順電圧の印加時間（不定の位相オン期間）が、第１レベルのアルカリ水生成モード、第２レベルのアルカリ水生成モード、第３レベルのアルカリ水生成モード毎に対応づいて作成されている。ここで、逆電圧の印加時間は４０ないし５０［msec］の固定とする（図５内では５０［msec］）。制御回路５０は、電解槽１０に流れる電流値又は印加される電圧をA/Dで取り込み検出している。また、本イオン水生成装置では、安全上３．３［ｖ］より大きな電流が流れると過電流と判定する回路構成を取っていることから、逆電圧でも３．３［ｖ］より高く電圧印加しないようにしている。なお、順電圧の電圧に順電圧の印加時間を乗算し、その積を５で除算し、逆電圧の固定の印加時間で除算して逆電圧を求めている。ここで、他のロジックを用いて逆電圧を求めることもできる。また、順電圧時では３．３［ｖ］以上を過電流とみなし、逆電圧時では３．３［ｖ］以上であっても過電流とみなさない回路を構成することもできる。この回路はダイオードを用いて構成する。
【００３１】
制御回路５０は、各モードの応じて、装置の構成要素（トランスリレー、衛生水リレー、逆電解リレー）を制御する。ここで、本発明はイオン水生成時の逆電圧に特徴を有するものであり、この特徴を説明するために、まず、図６（アルカリ、強アルカリ、酸性水）及び図７（洗浄、衛生水）で本発明を適用していないパルス波形について説明する。
【００３２】
第１レベルのアルカリ水生成モード、第２レベルのアルカリ水生成モード及び第３レベルのアルカリ水生成モードのときは、制御回路５０は、図６（ａ）のように、流量センサー５１からの検出信号を受け、トランスリレーを投入するためパルスを立ち上げる。このトランスリレーのパルス立ち上げの後に、第１の電極板１１に対してパルスが立ち上がり、第１の電極板１１に対してプラスの電圧が印加される。この始めのパルスは電流調整期間であり、水の性質に合わせて電流を調整している期間となる。電流調整期間後（電流調整後は電流値は固定となる）、パルスは立ち下がり第１の電極板１１に対する電圧の印加が解かれる。このパルスの立ち下りで出力０の状態をある固定の期間継続する。この期間の後、ある固定の期間マイナス方向に立ち上がって第１の電極板１１に逆極性の電圧が印加される。この期間の後、マイナス方向の立ち下がりを経て、さらに、パルスが立ち上がって位相オンとなり第１の電極板１１にプラスの電圧を印加し、各レベルのアルカリ水を生成する。この位相オンは不定であって、この位相オンの後に同様に不定の位相オフ期間が来る。位相オン期間と位相オフ期間の和は、固定の期間となっている（例えば１［秒］）。位相オフ期間になると、位相オン期間で立ち上げっていたパルスが立ち下がり、第１の電極板１１に電圧が印加されなくなる。制御回路５０は、この不定の位相オン期間及び不定の位相オフ期間をそれぞれ、流量に合わせて調整している。すなわち、流量が増してきた場合には位相オン期間を長くし位相オフ期間を短くし、イオン水生成に使用するエネルギーを増す。一方、流量が減少してきた場合には位相オン期間を短くし位相オフ期間を長くし、イオン水生成に使用するエネルギーを減少させる。
【００３３】
位相オフ期間を経過した後は、スケールの付着を防止するために、逆電圧を固定の時間印加している。以降、位相オン期間、位相オフ期間、逆電圧の期間を一周期として、繰り返しパルス波形の出力を制御回路５０が行っている。ここで、図６（ａ）では説明の便宜のため図のようなパルス波形図となっているが、実際には、各期間では、一定振幅パルス列の各々のパルス継続時間を変えて伝送するパルス幅変調が行われており、徐々に全体の電圧が上昇していくソフトスタートを実現している。
【００３４】
また、強アルカリ水モード、酸性水モードにおいても、図６（ｂ）に示すように、図６（ａ）と同様のパルスが出力され、第１の電極板１１に電圧が印加されている。さらに、図７（ａ）（ｂ）にそれぞれ洗浄モード及び衛生水モード時のパルス波形を示している。
【００３５】
次に、図８（ａ）を用いて、図６（ａ）のアルカリモードに本発明を適用した場合の一例を説明する。図６（ａ）と同様に、固定の位相オン期間である電流調整期間、固定の位相オフ期間及び逆電圧の期間を経て、パルスが立ち上がって不定の位相オン期間が開始され、第１の電極板１１にプラスの電圧を印加し、各レベルのアルカリ水を生成する。不定の位相オン期間後に、不定の位相オフ期間となって、第１の電極板１１にプラスの電圧が印加されなくなる。不定の位相オフ期間を経た後は、パルスがマイナス方向に立ち上がって、第１の電極板１１に逆極性の電圧が印加され、スケールの付着を防止している。従来においては、逆電圧の印加期間及び電圧は一定であった。しかし、図６（ａ）の逆電圧のパルスの振幅と比較すると分かるように、図８（ａ）の逆電圧のパルスの振幅が約２倍高くなっている（図中一点鎖線は、図６（ａ）のパルス波形を示す）。この図８（ａ）は、流量センサー５１で検出する流量が大きくなり、それに応じて、制御回路５０がパルスの振幅を大きくし、流量に応じた逆電圧の電圧を印加していることを示している。したがって、本発明を適用すると全て図８（ａ）のようになるわけではない。逆に、流量が小さくなった場合には、図８（ｂ）に示すように、逆電圧のパルスの振幅が、図６（ａ）の本発明を適用していない逆電圧のパルスの振幅の１／２倍となっている。また、本発明を適用した場合であっても、流量に応じては、従来と同様に図６（ａ）に示す逆電圧のパルスの振幅となる場合もある。
【００３６】
次に、流量センサー５１、制御回路５０及び電極１１、１２、１３の動作を図９に基づき説明する。まず、流量センサー５１が流量の検出を行ってその結果を制御回路５０に出力する（ステップ１０１）。制御回路５０は流量センサー５１からの検出信号を受け取り、所定期間が経過したか否かを判断する（ステップ１０２）。このステップ１０２では流量センサー５１からは継続して検出信号が出力されるので、制御回路５０が所定期間の検出信号を受け取って流量を計算している（流量センサー５１側から出力される信号を流量の情報自体とする構成にもできる）。ステップ１０２で制御回路５０が所定期間が経過していないと判断した場合にはステップ１０１に移行する。ステップ１０２で制御回路５０が所定期間が経過したと判断した場合には、流量に変化が生じたか否かを制御回路５０が判断する（ステップ１０３）。ステップ１０３で制御回路５０が流量に変化が生じていると判断しなかった場合には、ステップ１０１に移行する（詳細には、再び、流量を制御回路が計算するため、流量計算のためのメモリ領域を初期化することが望ましい）。ステップ１０３で制御回路５０が流量に変化が生じていると判断した場合には、ＲＯＭ５４から前記流量センサー５１により検出された流量に対応する逆電圧の電圧を読み出す（ステップ１０５）。逆電圧の電圧を読み出した後に、制御回路５０は読み出した逆電圧の電圧の制御信号を出力する（ステップ１０６）。制御回路５０からの制御信号に基づき、第１の電極１１、第２の電極１２及び第３の電極１３に電圧が印加される（ステップ１０７）。
【００３７】
このように本実施形態に係るイオン水生成装置によれば、流量センサー５１で検出した流量に基づいて逆電圧を印加するので、電解槽１０に流入する水の量が変化することでｐＨを一定に保つために、通常より大きい又は小さい消費電力でイオン水を生成し、かかる消費電力により電解槽に付着するスケールの量が変化し、この変化量は流量に比例し、その比例する流量に従って逆電圧を印加しているので、付着するスケールに応じた逆電圧の印加を実現している。また、本実施形態に係るイオン水生成装置によれば、制御回路５０の逆電圧の制御を逆電圧の電圧により行っているので、逆電圧を制御する場合においては逆電圧の電圧の他、逆電圧の印加時間を変化させることでも、スケールの付着に応じた逆電圧をすることが可能であり、この逆電圧の印加時間によると、周期に変化を来たすだけでなく、流量が多くなって印加時間が長くなった場合にはｐＨの安定性に欠けるという面があり、この観点からは逆電圧の電圧を制御回路５０が制御することが好ましい。また、逆電圧の電圧を流量により変化させる方式によれば、流量が大きくなった場合には、逆電圧の印加時間に比して逆電圧の電圧が高くなって、衝撃的に電圧がかかってスケールの付着を著しく防止する。また、本実施形態に係るイオン水生成装置によれば、制御回路５０が逆電圧の制御を行う場合に、流量と逆電圧の電圧とを対応づけて記録するＲＯＭ５４から制御回路５０が流量センサー５１で検出された流量に対応する逆電圧の電圧を読み出して、かかる逆電圧の電圧を印加するので、安定した電圧の印加を行うことができる。この安定した電圧の印加とは、流量センサー５１で検出された流量をパラメータとしてあるアルゴリズムに基づき計算した場合には、流量が若干変更された場合であっても印加する逆電圧の電圧は異なるのに対し、ＲＯＭ５４内に流量と逆電圧の電圧を対応付けて記録しているということは離散値であることを意味しているために、流量の若干変化があった場合でも印加する逆電圧の電圧が変更されないことがあり、安定しているということである。また、このような若干の電圧変化に対応可能に回路構成するためには、コストもかかる。
【００３８】
［流量に基づく逆電圧の印加時間の制御］
前記本実施形態に係るイオン水生成装置においては、流量の変化に応じて制御回路５０が逆電圧の電圧を変化させているが、流量の変化に応じて制御回路５０が逆電圧の印加時間を変更することもでき、この方式によっても、過不足なくスケールの付着を防止することができる。また、逆電圧の印加時間を変化させて、逆電圧の電圧を変化させない場合には、逆電圧の電圧変動がなく、回路構成を単純化することができる。
【００３９】
次に、図１０（ａ）の波形図を用いて、流量に基づく逆電圧の印加時間の制御について説明する。図８（ａ）と同様に、固定の位相オン期間である電流調整期間、固定の位相オフ期間及び逆電圧の期間を経て、パルスが立ち上がって不定の位相オン期間が開始され、第１の電極板１１にプラスの電圧を印加し、各レベルのアルカリ水を生成する。不定の位相オン期間後に、不定の位相オフ期間となって、第１の電極板１１にプラスの電圧が印加されなくなる。不定の位相オフ期間を経た後は、パルスがマイナス方向に立ち上がって、第１の電極板１１に逆極性の電圧が印加され、スケールの付着を防止している。前記本実施形態の図８（ａ）においては、逆電圧の印加期間は一定であった。しかし、図８（ａ）の逆電圧のパルス幅と比較すると分かるように、図１０（ａ）の逆電圧のパルス幅が約２倍長くなっている。この図１０（ａ）は、流量センサー５１で検出する流量が大きくなり、それに応じて、制御回路５０がパルス幅を大きくし、流量に応じた逆電圧の印加時間で印加していることを示している。したがって、本発明を適用すると全て図１０（ａ）のようになるわけではない。逆に、流量が小さくなった場合には、図１０（ｂ）に示すように、逆電圧のパルス幅が、図１０（ａ）の逆電圧のパルス幅の１／２倍となっている。また、本発明を適用した場合であっても、流量に応じては、本発明を適用していない図６（ａ）に示す逆電圧のパルス幅となる場合もある。
【００４０】
［流量に基づく逆電圧の電圧及び印加時間の制御］
前記本実施形態に係るイオン水生成装置においては、流用の変化に応じて制御回路５０が逆電圧の電圧を変化させるだけでなく、流量の変化に応じて制御回路５０が逆電圧の印加時間も変更させることもでき、イオン水生成のためにエネルギーを大量に使用した場合には、それに相応する逆電圧のエネルギーを必要とし、逆電圧の電圧又は印加時間の一方だけであれば、電圧が相当高くなってそれに対応すべく回路構成を形成する必要があり、又は、印加時間が相当長くなってイオン水のｐＨに与える影響を回避することができなくなるが、逆電圧の電圧及び印加時間で調整することでかかる問題を解消することができる。
【００４１】
次に、図１１（ａ）の波形図を用いて、流量に基づく逆電圧の電圧及び印加時間の制御について説明する。図８（ａ）と同様に、固定の位相オン期間である電流調整期間、固定の位相オフ期間及び逆電圧の期間を経て、パルスが立ち上がって不定の位相オン期間が開始され、第１の電極板１１にプラスの電圧を印加し、各レベルのアルカリ水を生成する。不定の位相オン期間後に、不定の位相オフ期間となって、第１の電極板１１にプラスの電圧が印加されなくなる。不定の位相オフ期間を経た後は、パルスがマイナス方向に立ち上がって、第１の電極板１１に逆極性の電圧が印加され、スケールの付着を防止している。前記本実施形態の図１０（ａ）においては、逆電圧の電圧は一定であった。しかし、図１０（ａ）の逆電圧の電圧と比較すると分かるように、図１１（ａ）の逆電圧の振幅が約２倍大きくなっている。この図１１（ａ）は、流量センサー５１で検出する流量が大きくなり、それに応じて、制御回路５０が振幅及びパルス幅を大きくし、流量に応じた逆電圧の電圧及び印加時間で印加していることを示している。したがって、本発明を適用すると全て図１１（ａ）のようになるわけではない。逆に、流量が小さくなった場合には、図１１（ｂ）に示すように、逆電圧の振幅及びパルス幅が、図１１（ａ）の逆電圧の振幅及びパルス幅の１／２倍となっている。また、本発明を適用した場合であっても、流量に応じては、本発明を適用していない図６（ａ）に示す逆電圧のパルス幅となる場合もある。
【００４２】
前記本実施形態に係るイオン水生成装置においては、順電圧の積分値と逆電圧の絶対値の積分値との比を一定にすることもでき、より逆電圧の消費エネルギーに対応した逆電圧の制御を可能とすることができる。この場合には、ＲＯＭ５４に、順電圧の積分値（順電圧の電圧及び／又は印加時間）及び流量と逆電圧の電圧とを対応付けて記録している。
【００４３】
また、本実施形態に係るイオン水生成装置においては、図５に示すように、逆電圧の印加時間を固定とし、順電圧の電圧、流量の範囲と、順電圧の積、逆電圧の積及び逆電圧の電圧を対応付けたテーブルを作成しているが、流量に基づいて逆電圧の印加時間を制御する場合においては、逆電圧の電圧を固定とし、順電圧の電圧、流量の範囲と、順電圧の積、逆電圧の積及び逆電圧の印加時間を対応付けたテーブルを作成して用いる。さらに、流量に基づいて逆電圧の電圧及び印加時間を制御する場合においては、順電圧の電圧、流量の範囲と、順電圧の積、逆電圧の積、逆電圧の電圧及び逆電圧の印加時間を対応付けたテーブルを作成して用いる。
【００４４】
（本発明の第２の実施形態）
本発明の第２の実施形態に係るイオン水生成装置について図に基づき説明する。
［アンダーシンクタイプのイオン水生成装置］
本実施形態に係るイオン水生成装置は、前記第１の実施形態に係るイオン水生成装置である据え置きタイプのイオン水生成装置ではなく、前記電解槽１２１がシンクより下に配設されるアンダーシンクタイプのイオン水生成装置である。
【００４５】
本実施形態に係るイオン水生成装置の具体的構成は、図１３に示すように、原水中の不純分を取り除く交換可能な浄水カートリッジ１１０と（装置本体内部に配設されている）、この浄水カートリッジ１１０から供給された浄水を電気分解する電解槽１２１を有してシンク下に配置された装置本体１２０と、この装置本体１２０からの浄水又はイオン水を吐水するシンク上に配置された吐水管１３１と、この吐水管１３１近傍のシンク上に配設された操作可能で設定状態を表示する操作部１４０とを備える構成である。また、前記浄水カートリッジ１１０に関する入力手段を有する本体操作部１５０を前記装置本体１２０に備える構成である。
【００４６】
詳細には、ハンドル１３３、操作部１４０、吐水管１３１及び排水管１３２を有する水栓本体１３０と、この水栓本体１３０と水栓本体−装置本体間ホース１６２を介して接続する装置本体１２０とを備え、この装置本体１２０にある２つの流出口の一方である吐水流出口１２２と吐水ホース１６４を介して前記水栓本体１３０の吐水管１３１と接続し、装置本体１２０にある他方の排水流出口１２３と排水ホース１６５を介して前記水栓本体１３０の排水管１３２と接続して流路を形成している。すなわち、水道管（図示しない）から流出した原水は原水−装置本体間ホース１６１を通って装置本体２０の浄水カートリッジ１１０に到達して浄水となって、図示しない装置内ホースを介して電解槽１２１に到達しこの電解槽１２１で電解されればイオン水となって、電解槽１２１で電解されなければ浄水のまま吐水流出口１２２から吐水ホース１６４を介して吐水管１３１からイオン水又は浄水が吐水される。そして、イオン水が吐水管１３１から吐水される場合には、排水流出口１２３から排水ホース１６５を介して排水管１３２から吐水されるイオン水と逆極性のイオン水が排水される。ここで、排水流出口１２３と電解槽１２１との間には電磁弁１２４が設けられ、電解槽１２１で電解をしない浄水モードの場合には電磁弁１２４が閉じられ、吐水管１３１のみから浄水が吐水される。これは、イオン水生成でない浄水の場合に排水管１３２から排水される水も浄水であって使用可能であって、排水する必要がないからである。
【００４７】
前記装置本体１２０は、図１４に示すように、浄水流入口１２５から直ぐに分岐部分１２６でアルカリ流路１２７と酸性流路１２８とに分岐する。酸性流路１２８は適量ずつ溶解可能なカルシウムが含有されているカルシウムケース１２９通って電解槽１２１に接続している。アルカリ流路１２７はそのまま電解槽１２１に接続している。電解槽１２１は隔壁１２１ｈにより第１の電解室１２１ａと第２の電解室１２１ｂに分かれ、隔壁１２１ｉにより第３の電解室１２１ｃと第４の電解室１２１ｄに分かれ、アルカリ流路１２７が第２の電解室１２１ｂ及び第３の電解室１２１ｃと接続し、酸性流路１２８が第１の電解室１２１ａ及び第４の電解室１２１ｄと接続する。第１の電解室１２１ａには第１の電極板１２１ｅが接続され、第２の電解室１２１ｂ及び第３の電解室１２１ｃには第２の電極板１２１ｆが接続され、第４の電解室１２１ｄには第３の電極板１２１ｇが接続される。電圧が印加されると、第１の電極板１２１ｅ及び第３の電極板１２１ｇと第２の電極板１２１ｆとがそれぞれ異なる陽極板又は陰極板として機能する。第１の電極板１２１ｅ及び第３の電極板１２１ｇが陽極板となり、第２の電極板１２１ｆが陰極板となる電解が正電解であり、マグネシウムイオン、ナトリウムイオン、カリウムイオン及びカルシウムイオン等は陰極板に引かれ、水酸イオン、硫酸イオン、硝酸イオン及び塩素イオン等は陽極板に引かれ、すなわち、第１の電解室１２１ａ及び第４の電解室１２１ｄには酸性水が生成され、第２の電解室１２１ｂ及び第３の電解室１２１ｃにはアルカリ水が生成される。逆に、第１の電極板１２１ｅ及び第３の電極板１２１ｇが陰極板となり、第２の電極板１２１ｆが陽極板となる電解が逆電解であり、第１の電解室１２１ａ及び第４の電解室１２１ｄにはアルカリ水が生成され、第２の電解室１２１ｂ及び第３の電解室１２１ｃには酸性水が生成される。
【００４８】
装置本体１２０内には、電解槽１２１、電磁弁１２４、アルカリ流路１２７、酸性流路１２８及びカルシウムケース１２９の他に、コンセントから電源ケーブルを介して供給される交流電流を変圧し分流して各構成要素に電流を供給する電源部１７２と、図１５に示すように、操作部１４０及び本体操作部１５０からの指示を受け、第１の電極板１２１ｅ、第２の電極板１２１ｆ、第３の電極板１２１ｇ及び電磁弁１２４に対する電源部１７２からの駆動電力の開閉を制御する制御部１７１と、情報を記録するための記録部１７４とを備える。図１５中、実線は信号レベルのバス、信号線であり、一点鎖線は制御用電源ライン、点線は駆動用電源ラインを示す。制御部１７１、記録部１７４及びバスは物理的には制御基板上のマイクロコンピュータ、ＥＥＰＲＯＭ及びバス等にて実装されている。
【００４９】
前記浄水カートリッジ１１０は、本体鉄さび等を除去する不織布と、イオン化した鉛を除去するセラミックの特殊フィルターと、吸着作用を利用してカルキ臭、カビ臭及びトリハロメタンを除去する活性炭と、粒子や雑菌・赤サビ等を除去するポリエチレン中空糸とからなる。これらの不織布、特殊フィルター、活性炭、ポリエチレン中空糸の集密度によって、可能通水量が異なり、本実施形態においては、１００００［ｌ］用浄水カートリッジ、８０００［ｌ］用浄水カートリッジ及び４０００［ｌ］用浄水カートリッジを使用する。
【００５０】
前記操作部１４０は、図１６（ａ）に示すように、強アルカリ水を生成する強アルカリボタン１４１、アルカリ水を生成するアルカリ３ボタン１４２ａ、アルカリ２ボタン１４２ｂ、アルカリ１ボタン１４２ｃ、浄水を生成する浄水ボタン１４２ｄ、酸性水を生成する酸性水ボタン１４３、浄水カートリッジの各種値をリセットするリセットボタン１４４からなる入力手段と、吐水量が適正であることを示す適正流量ランプ１４５、強アルカリ水が生成されていることを示す強アルカリランプ１４１ａ、アルカリ水が生成されていることを示すアルカリ３ランプ１４２ｅ、アルカリ２ランプ１４２ｆ、アルカリ１ランプ１４２ｇ、浄水が生成されていることを示す浄水ランプ１４２ｈ、酸性水が生成されていることを示す酸性水ランプ１４３ａ、浄水カートリッジの交換時期の目安を示すカートリッジ交換ランプ１４６及び電解槽が洗浄中であることを示す洗浄中ランプ１４７からなる表示手段とからなる。アルカリ３ランプ１４２ｅ、アルカリ２ランプ１４２ｆ及びアルカリ１ランプ１４２ｇの違いは、ＰＨの異なるアルカリ水を生成していることを示し、アルカリ３ランプ１４２ｅ、アルカリ２ランプ１４２ｆ及びアルカリ１ランプ１４２ｇの順でＰＨ値が低くなっていく。強アルカリボタン１４１、アルカリ３ボタン１４２ａ、アルカリ２ボタン１４２ｂ、アルカリ１ボタン１４２ｃ、浄水ボタン１４２ｄ及び酸性水ボタン１４３は、生成するイオン水のモードを変更するためモードボタンと呼ぶ。また、強アルカリランプ１４１ａ、アルカリ３ランプ１４２ｅ、アルカリ２ランプ１４２ｆ、アルカリ１ランプ１４２ｇ、浄水ランプ１４２ｈ及び酸性水ランプ１４３ａは、生成するイオン水のモードを示すモードランプと呼ぶ。制御部１７１は、これらのランプの点灯制御も行う。
【００５１】
強アルカリ水は、例えば、ペーハー（pH）が10.5であり、煮物、アク抜き、野菜ゆで等に使用することができる。第３レベルのアルカリ水（アルカリ３ランプ１４２ａ点灯時に生成されるイオン水）は、例えば、ペーハー（pH）が9.5であり、料理、お茶等に使用することができる。第２レベルのアルカリ水（アルカリ２ランプ１４２ｂ点灯時に生成されるイオン水）は、例えば、ペーハー（pH）が9.0であり、炊飯等に使用することができる。第１レベルのアルカリ水（アルカリ１ランプ１４２ｃ点灯時に生成されるイオン水）は、例えば、ペーハー（pH）が8.5であり、飲み始めの水等として使用することができる。酸性水は、例えば、ペーハー（pH）が5.5であり、洗顔、麺ゆで、茶渋とり等に使用することができる。
【００５２】
モードは、強アルカリモード、アルカリ３モード、アルカリ２モード、アルカリ１モード、浄水モード及び酸性水モードがある。強アルカリ水と酸性水は飲用水ではないので、強アルカリモード及び酸性水モードを除き、アルカリ３モード、アルカリ２モード、アルカリ１モード及び浄水モードを飲用モードと呼ぶ。電源投入時には、誤飲を防ぐため飲用モードからの開始となり、詳細には前回終了時の飲用モードからなり、例えば、前回終了時の飲用モードがアルカリ３モードであれば、アルカリ３モードが初期モードとなって、飲用ボタン１４２の押下の度毎に、浄水モード、アルカリ１モード、アルカリ２モードへと移行する。飲用モードにある場合に、強アルカリボタン１４１を押下すると強アルカリモードとなり、酸性水ボタン１４３を押下すると酸性水モードとなる。逆に、強アルカリモード、酸性水モードにあるときに、飲用ボタン１４２を押下することで、直近の飲用モードに移行する。
【００５３】
記録部１７４には現在モード、最終飲用モードのための領域が確保されている。この領域を制御部１７１が参照することで、現在のモードと直近の飲用モードを知ることができる。この他に記録部１７４には、現在の浄水カートリッジの種類、積算通水量、積算使用時間、直近のアルカリモード、逆電解実行基準量も記録される。直近のアルカリモードは逆電解時の電圧レベルで用いられ、逆電解実行基準量は逆電解が必要な所定量の吐水がなかれたか否かを判別する場合に用いられる。制御部１７１は、それぞれのモード毎に制御対象に対して制御を行い、強アルカリモード、アルカリ３モード、アルカリ２モード、アルカリ１モードのときには、第１の電極板１２１ｅ、第２の電極板１２１ｆ及び第３の電極板１２１ｇに対して正電解となるように電圧を印加する。強アルカリモード、アルカリ３モード、アルカリ２モード、アルカリ１モードのモードで異なるのは、印加する電圧レベルであり、電圧レベルが高い程高いＰＨ値のアルカリ水を生成することができる。逆に、制御部１７１は、酸性水モードのときには、第１の電極板１２１ｅ、第２の電極板１２１ｆ及び第３の電極板１２１ｇに対して逆電解となるように電圧を印加する。浄水モードのときには、第１の電極板１２１ｅ、第２の電極板１２１ｆ及び第３の電極板１２１ｇに対して電圧を印加しない。制御部１７１は、浄水モードのみ電磁弁１２４を駆動させ、酸性流路１２８を閉じた状態にする。
【００５４】
制御部１７１は、水が流れているか否かを検出するために、装置本体１２０内の流路内に配設された図示しない流量センサーからの検出信号を受けており、この流量センサーからの検出信号から流水量自体も検出することができる。流量センサーは、流水量を測定可能に構成され、例えば、流量センサー中央部にプロペラを設け、かかるプロペラの回転数により流水量を測定するものである。
【００５５】
前記本体操作部１５０は、図１６（ｂ）に示すように、寿命設定ボタン１５１からなる入力手段と、１００００ｌ寿命設定ランプ１５１ａ、８０００ｌ寿命設定ランプ１５１ｂ及び４０００ｌ寿命設定ランプ１５１ｃからなる表示手段とからなる。
【００５６】
［逆電圧の制御タイミング］
本実施形態に係るイオン水生成装置は、流量センサーで検出した流量に変化が生じた場合に、制御部１７１が逆電圧の制御を所定時間後に実行する構成である。前記第１の実施形態では、制御回路５０が流量センサー５１からの検出信号を受け流量を求めるタイミングで処理を行っていたが、本実施形態ではこのタイミングを経た後に、再び別途所定時間を経て逆電圧の制御の実行を行っている。順電圧の電圧の変化に対応して逆電圧の制御は直ちに実行するの方が望ましい。これは、順電圧の変化は、通常、利用者の操作に応じてモードが変化し別のｐＨのイオン水を生成することを意味し、一時的な変化ではないからである。一方、流量の変化は、利用者のハンドル１３３の操作による変化もあるが、水道管から供給される水圧の一時的な変化による場合も多く、後者の場合には一時的な変化となる。また、ハンドル１３３を徐々に使用者が上げていく場合に、その流量の上昇過程の一時一時に対応して、制御部１７１が逆電圧を制御するのは煩雑であり、制御部１７１が高い演算処理を有する構成とする必要がある。
【００５７】
より詳細には、逆電圧の制御を所定時間後に実行する前に、再び、流量センサーから検出信号を受け取って流量を制御部１７１が計算する。継続して流量の変化が維持されているか、または、それ以上の変化がある場合に、逆電圧の制御を制御部１７１が実行する。
［所定量の流量変化による逆電圧の制御］
本実施形態に係るイオン水生成装置は、流量センサーによる流量変化が生じた場合に、流量の変化分が所定範囲内であれば、制御部１７１が逆電圧の制御を実行しない構成である。制御部１７１が、流量の微々たる流量の変化に対応して逆電圧を制御するのではなく、ある程度の流量の変化に対応して逆電圧を制御することで、高い演算処理を必要としないだけでなく、それに対応して逆電圧の回路も微小な電圧及び印加時間に対応する精密な回路を必要とせず、容易な構成にすることができる。
【００５８】
次に、流量センサー、制御部１７１及び電極１２１ｅ、１２１ｆ、１２１ｇの動作を図１７に基づき説明する。まず、流量センサーが流量の検出を行ってその結果を制御部１７１に出力する（ステップ２０１）。制御部１７１は流量センサーからの検出信号を受け取り、所定期間が経過したか否かを判断する（ステップ２０２）。このステップ２０２では流量センサーからは継続して検出信号が出力されるので、制御部１７１が所定期間の検出信号を受け取って流量を計算している（流量センサー側から出力される信号を流量の情報自体とする構成にもできる）。ステップ２０２で制御部１７１が所定期間が経過していないと判断した場合にはステップ２０１に移行する。ステップ２０２で制御部１７１が所定期間が経過したと判断した場合には、所定量の流量の変化が生じたか否かを制御回路５０が判断する（ステップ２０３）。ステップ２０３で制御部１７１が流量に変化が生じていると判断しなかった場合には、ステップ２０１に移行する（詳細には、再び、流量を制御回路が計算するため、流量計算のためのメモリ領域を初期化することが望ましい）。ステップ２０３で制御部１７１が流量に変化が生じていると判断した場合には、再び流量センサーが検出信号を制御部１７１に出力する（ステップ２０４）。制御部１７１が所定期間が経過しているか否かを判断する（ステップ２０５）。ここでの所定期間は前記ステップ２０２の所定期間と異なり、単に流量を計算するためでなく、逆電圧の制御を頻繁に行うことを防止するためであり、ステップ２０２の所定期間と比べて長い。ステップ２０５で制御部１７１が所定期間経過したと判断しない場合には、ステップ２０４に移行する。ステップ２０５で制御部１７１が所定期間経過したと判断する場合には、制御部１７１が継続して流量の変化が維持されているか、さらには、それ以上の変化が生じているかを判断する（ステップ２０６）。ステップ２０６で流量の変化が維持されている、又は、それ以上の変化が生じていると判断しない場合には、ステップ２０１に移行する。ステップ２０６で、流量の変化が維持されている、又は、それ以上の変化が生じていると判断している場合には、ＲＯＭ５４から流量に対応する逆電圧の電圧を読み出す（ステップ２０７）。逆電圧の電圧を読み出した後に、制御部１７１は読み出した逆電圧の電圧の制御信号を出力する（ステップ２０８）。制御部１７１からの制御信号に基づき、第１の電極１２１ｅ、第２の電極１２１ｆ及び第３の電極１２１ｇに電圧が印加される（ステップ２０９）。
【００５９】
このように本実施形態に係るイオン水生成装置によれば、流量センサーで継続して流量を検出しているときに、流量の変化が生じて逆電圧の制御を行う場合に、所定時間後にかかる逆電圧の制御を行っているので、流量が短い時間で変化している場合であってもかかる変化全てに追随して逆電圧の制御を行わず、適切な間隔での制御を行って必要性の少ない処理のための動作を回避することができる。また、本実施形態に係るイオン水生成装置によれば、流量センサーで検出した流量に変化が生じた場合であっても、流量の変化分が所定範囲内であるとき、逆電圧の制御を実行しないので、わずかな流量の増減により、必要性の低い動作を行うことを抑制することができる。
【００６０】
［所定周期毎の流量に基づく逆電圧の制御の実行］
前記本実施形態に係るイオン水生成装置は、所定時間後にかかる逆電圧の制御を行っているが、不定の位相オン時間、不定の位相オフ時間及び逆電圧の印加時間を一周期とし、複数周期後に逆電圧の制御を行うこともできる。
【００６１】
（本発明の第３の実施形態）
本発明の第３の実施形態に係るイオン水生成装置について図に基づき説明する。
本実施形態に係るイオン水生成装置は、前記第１の実施形態に係るイオン水生成装置と同様に構成され、所定時間の間に装置内に流入してきた流入量に基づいて、逆電圧を制御することを異にする構成である。
【００６２】
流量は所定期間の間に大きくなったり小さくなったりする。少なくとも利用者の蛇口のハンドル操作があるため必ずかかる流量の変化は生じる。このような変化がある場合に、流量に応じてそのまま逆電圧の電圧及び印加電圧を制御した場合には、小さな流量時では小さい電圧及び短い印加電圧で対応し、大きな流量時では大きな電圧及び長い印加電圧で対応する。しかしながら、小さな流量時と大きな流量時とを合算すると、合算した平均の逆電圧の印加をするだけで逆電圧を変化させる必要がない。所定期間内で流量の変化を合算し、合算した結果流量が小さければそれに見合う通常より小さい逆電圧を行えばよい。逆に、合算した結果流量が大きければそれに見合う通常より大きい逆電圧を行えばよい。
【００６３】
図１８（ａ）は縦軸を流量とし横軸を時間としたイオン水生成装置の流量に関するグラフである。時刻ｔ１０から時刻ｔ１１まで、時刻ｔ１２から時刻ｔ１３まで、時刻ｔ１４から時刻ｔ１５までは標準とされる流量よりも高い流量で水が流入している。時刻ｔ１１から時刻ｔ１２まで、時刻ｔ１３から時刻ｔ１４までは標準とされる流量よりも低い流量で水が流入している。図１８（ａ）中の塗りつぶし部分及び斜線部分は標準流量で流入した場合との流入量の差を示している。塗りつぶし部分が標準流量より多く流入した流入量を示し、斜線部分が標準流量よりも少なく流入した流入量を示している。したがって、時刻ｔ１０から時刻ｔ１５までを所定期間とすると、標準流入量との差はかかる塗りつぶした部分及び斜線部分の差ということになる。そうすると、図１８（ａ）では、標準流入量よりも小さい流入量となっていることがわかる。この場合には、標準の逆電圧の電圧よりも小さい電圧を継続的に同電圧で印加する。逆に、標準の流入量よりも大きい流入量となっている場合には標準の逆電圧の電圧よりも大きい電圧を継続的に同電圧で印加する。ここでは、説明の便宜上、ハッチングを用いているが、実際に制御回路５０が計算する場合には、流量と時間との積の総和により、総流入量を求める。
本実施形態においても、ＲＯＭ５４に所定時間の流入量と逆電圧の電圧とを対応付けて記録している。
【００６４】
次に、流量センサー５１、制御回路５０及び電極１１、１２、１３の動作を図１９に基づき説明する。まず、流量センサー５１が流量の検出を行ってその結果を制御回路５０に出力する（ステップ３０１）。制御回路５０は流量と時間により流入量の計算を開始する（ステップ３０２）。制御回路５０は流量センサー５１からの検出信号を受け取り、所定期間が経過したか否かを判断する（ステップ３０３）。このステップ３０２では流量センサー５１からは継続して検出信号が出力されるので、制御回路５０が所定期間の検出信号を受け取って流量を計算し流入量を計算している。ステップ３０３で制御回路５０が所定期間が経過していないと判断した場合にはステップ３０１に移行する。ステップ３０２で制御回路５０が所定期間が経過したと判断した場合には、ＲＯＭ５４から流入量に対応する逆電圧の電圧を読み出す（ステップ３０５）。逆電圧の電圧を読み出した後に、制御回路５０は読み出した逆電圧の電圧の制御信号を出力する（ステップ３０６）。制御回路５０からの制御信号に基づき、第１の電極１１、第２の電極１２及び第３の電極１３に電圧が印加される（ステップ３０７）。
【００６５】
本実施形態に係るイオン水生成装置によれば、制御回路５０が流量センサー５１で検出した流量と時間の積の総和から所定時間の流入量を求め、制御回路５０がこの流入量に基づいて逆電圧を制御するので、流量に変化が生じる度に逆電圧の制御を行うものと比べ、動作の安定性に優れ、正確にスケールを除去することができる。
【００６６】
［次回使用時での逆電圧］
前記本実施形態では、所定時間の間は流入量を求めているため、実際には、次の所定時間の間に逆電圧の印加を行うこととなる。そうすると、使用を停止した場合には、現在の所定時間の途中で終了するため、現在の所定時間中に行う必要がある逆電圧の電圧の印加及び次の所定時間中に行う必要がある逆電圧の電圧の印加をすることができない。そこで、次回使用時にこれらの逆電圧の電圧の印加も併せて行うようにすることもできる。
【００６７】
［終了処理での逆電圧］
次回使用時での逆電圧では、次回使用時に前回使用時の逆電圧を行うものであったが、前回終了時に終了処理として逆電圧の電圧を印加することもできる。
【００６８】
（本発明の第４の実施形態）
本発明の第４の実施形態に係るイオン水生成装置について図に基づき説明する。
本実施形態に係るイオン水生成装置は、前記第１の実施形態に係るイオン水生成装置と同様に構成され、電解槽１０に配設された電極１１、１２、１３での消費電力に基づいて、逆電圧を制御する構成である。
【００６９】
前記各実施形態では、従来順電圧の電圧及び印加電圧に対応して逆電圧の電圧及び印加電圧を制御していたのに代えて、若しくは、加えて、流量又は流入量に対応して逆電圧の電圧及び印加電圧を制御している。それに対して本実施形態では、電極１１の消費電力（又は電極１２、電極１３）に対応して逆電圧を制御する。これは、実際に電解槽１０内の水をイオン水にするために使用したエネルギーに対応する逆電圧の電圧を印加することとなる。電解槽１０内の消費電力を求める方法は、各種検出方法が既に周知技術として存在するために、ここでは説明を省略する。検出においては正確をきすに越したことはないが、本実施形態においても、ＲＯＭ５４に電解槽１０内の消費電力と逆電圧の電圧とを対応付けて記録するため、ＲＯＭ５４に記録された電解槽１０内の消費電力と検出方法が同じであればよい。
【００７０】
次に、流量センサー５１、制御回路５０及び電極１１、１２、１３の動作を図２０に基づき説明する。まず、流量センサー５１が流量の検出を行ってその結果を制御回路５０に出力する（ステップ４０１）。制御回路５０は消費電力の計算を開始する（ステップ４０２）。制御回路５０は所定期間が経過したか否かを判断する（ステップ４０３）。ステップ４０３で制御回路５０が所定期間が経過していないと判断した場合にはステップ４０１に移行する。ステップ４０２で制御回路５０が所定期間が経過したと判断した場合には、所定期間の消費電力の総和を計算する（ステップ４０４）。消費電力の総和の計算の後、ＲＯＭ５４から消費電力に対応する逆電圧の電圧を読み出す（ステップ４０５）。逆電圧の電圧を読み出した後に、制御回路５０は読み出した逆電圧の電圧の制御信号を出力する（ステップ４０６）。制御回路５０からの制御信号に基づき、第１の電極１１、第２の電極１２及び第３の電極１３に電圧が印加される（ステップ４０７）。
【００７１】
このように本実施形態に係るイオン水生成装置によれば、電解槽１０の電極１１で所定期間の消費される電力に対応する逆電圧の電圧をＲＯＭ５４から読み出し、読み出した逆電圧の電圧を印加しているので、電解槽１０の電極１１の順電圧の電圧及び電圧印加時間だけでなく、電流も加味され実際にスケール必要な逆電圧を印加することができる。
【００７２】
［次回使用時での逆電圧］
前記本実施形態では、所定時間の間は消費電力を求めているため、実際には、次の所定時間の間に逆電圧の印加を行うこととなる。そうすると、使用を停止した場合には、現在の所定時間の途中で終了するため、現在の所定時間中に行う必要がある逆電圧の電圧の印加及び次の所定時間中に行う必要がある逆電圧の電圧の印加をすることができない。そこで、次回使用時にこれらの逆電圧の電圧の印加も併せて行うようにすることもできる。
【００７３】
［終了処理での逆電圧］
次回使用時での逆電圧では、次回使用時に前回使用時の逆電圧を行うものであったが、前回終了時に終了処理として逆電圧の電圧を印加することもできる。
【００７４】
（本発明の第５の実施形態）
本発明の第５の実施形態に係るイオン水生成装置について図に基づき説明する。
本実施形態に係るイオン水生成装置は、前記第２の実施形態に係るアンダーシンクタイプのイオン水生成装置と同様に構成され、装置本体１２０の底面部分に漏水検知確認端子１８４を設け、この漏水検知確認端子１８４を回路構成素子の一つとする漏水検知回路により漏水検知を検知した場合に、利用者に漏水を報知すると共に、漏水検知回路への通電を停止する構成である。
【００７５】
漏水検知確認端子１８４は、図２１（ａ）に示す通り、装置本体１２０の底面ケース１８０にネジ止めしている。漏水検知確認端子１８４が固定されている底面ケース部分１８０ａは、漏水した場合に、水が貯まり易いように、他の底面ケース部分との境に間仕切りを形成している。
【００７６】
漏水検知回路の回路構成は次の通りである（図２２参照）。コントロールIC１８１の確認信号出力端子１８１ａが、トランジスタ１８２のベースと接続する。トランジスタ１８２のエミッタが接地されており、コレクタがトランジスタ１８３のベースと接続する。トランジスタ１８３のエミッタに電源電圧が印加されている。トランジスタ１８３のコレクタは、漏水検知確認端子１８４、ノイズフィルターのコンデンサ１８５及びコントロールIC１８１の検知信号入力端子１８１ｂと接続している。
【００７７】
このような回路構成の漏水検知回路は、コントロールIC１８１の確認信号出力端子１８１ａから所定周期で確認信号を出力している。この所定周期は、様々な設定が可能であり、例えば、周期を１［Hz］とすることができる。この確認信号の出力に対応して、漏水検知回路は、検知信号を出力する。
【００７８】
確認信号が入力されると、漏水検知回路は、トランジスタ１８２にベース・エミッタ電流が流れる共に、コレクタ・エミッタ電流が流れ、オンとなる。これと同時にトランジスタ１８３にベース・コレクタ電流が流れる共に、エミッタ・コレクタ電流が流れ、オンとなる。このトランジスタ１８３がオンとなることで、漏水検知確認端子１８４に電圧が印加されると共に、コントロールIC１８１に対して検知信号が出力される。
【００７９】
漏水検知確認端子１８４が水に使って漏水検知確認端子１８４が導通した場合には、漏水検知確認端子１８４に電圧が印加されることになり、所定電圧よりも降圧されて検知信号が出力される。一方、漏水検知確認端子１８４が水に使っていない場合には、漏水検知確認端子１８４が導通しておらず、漏水検知確認端子１８４に電圧が印加されることなく、所定電圧の検知信号が出力される。
【００８０】
コントロールIC１８１は、検知信号の電圧が、閾値（例えば、２．６［V］）以下の場合には漏水が発生していると判断し、漏水制御信号を出力し、漏水検知用のLEDを発光させると共にブザーを鳴らす。さらに、コントロールIC１８１は、かかるLED及びブザーの報知を行った後に、トランジスタ１８３への電源電圧の印加を停止する。
コントロールIC１８１は、検知信号の電圧が、閾値より大きい場合には漏水が発生していないと判断する。
【００８１】
このように本実施形態に係るイオン水生成装置においては、マイコンIC１８１が所定間隔で漏水検知回路に確認信号を出力し、漏水検知回路がこの確認信号を受け、漏水検知確認端子１８４の導通如何でマイコンIC１８１に出力される検知信号の電圧が変化し、マイコンIC１８１は検知信号の電圧により漏水が生じている否かを判断し、漏水が生じている場合には漏水検知確認端子１８４への電気の供給を停止しているので、漏水時に水に浸かっている漏水検知確認端子１８４の金属部分に電流が流れず、電気分解が生じて金属部分の溶出が進行し腐食することがない。
【００８２】
［確認信号の出力の周期変化］
本実施形態では、漏水が検知された場合には報知して利用者に知らせると共に、漏水検知確認端子１８４への電気の供給を停止して電食を防止するものであるが、漏水検知が確認された後は、十分な大きな周期で確認信号をマイコンIC１８１が出力する構成にすることもでき、確認信号の周期が十分長いものであれば、漏水検知確認端子１８４への電流もさほど流れず、電食まで進行しない。たとえ、電食に進行したとしても、腐食が軽微か、若しくは、相当の時間を要しないとかかる腐食が見られない。
【００８３】
なお、本実施形態では、漏水検知後に漏水検知確認端子１８４への電気の供給を停止する点に特徴があり、電気の供給停止の方法、漏水検知回路の回路構成については、種々の変形例を構成することができる。例えば、電気の供給停止に関しては、新たにスイッチを漏水検知回路に設け、漏水検知と共に開放状態となって漏水検知確認端子１８４に電気を供給しないようにすることもできるし、他に、マイコンIC１８１が漏水検知後は確認信号を出力しない構成であっても同様に漏水検知確認端子１８４に電気を供給しないようにすることができる。
【００８４】
また、本実施形態では、アンダーシンクタイプのイオン水生成装置にて説明したが、据え置きタイプのイオン水生成装置にも適用することができる。例えば、電解槽１０、流路の損傷による水漏れによる漏水を検知することができる。
【００８５】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【図面の簡単な説明】
【００８６】
【図１】本発明の第１の実施形態に係るイオン水生成装置の全体構成ブロック図である。
【図２】本発明の第１の実施形態に係るイオン水生成装置の全体斜視図である。
【図３】本発明の第１の実施形態に係るイオン水生成装置を操作するための操作パネルの平面図である。
【図４】本発明の第１の実施形態に係るイオン水生成装置の具体的構成の背面図の断面図及び背面方向からの上面断面図である。
【図５】本発明の第１の実施形態に係るイオン水生成装置のＲＯＭ内の流量と逆電圧の電圧のテーブルである。
【図６】本発明の第１の実施形態に係る従来のイオン水生成装置のパルス波形図である。
【図７】本発明の第１の実施形態に係る従来のイオン水生成装置のパルス波形図である。
【図８】本発明の第１の実施形態に係るイオン水生成装置のパルス波形図である。
【図９】本発明の第１の実施形態に係るイオン水生成装置の動作フローチャートである。
【図１０】本発明の第１の実施形態に係るイオン水生成装置のパルス波形図である。
【図１１】本発明の第１の実施形態に係るイオン水生成装置のパルス波形図である。
【図１２】本発明の第２の実施形態に係るイオン水生成装置の設置状態の斜視図である。
【図１３】本発明の第２の実施形態に係るイオン水生成装置の斜視図である。
【図１４】本発明の第２の実施形態に係るイオン水生成装置の装置本体のブロック構成図である。
【図１５】本発明の第２の実施形態に係るイオン水生成装置の制御回路のブロック構成図である。
【図１６】本発明の第２の実施形態に係るイオン水生成装置の操作部及び本体操作部の正面図である。
【図１７】本発明の第２の実施形態に係るイオン水生成装置の動作フローチャートである。
【図１８】本発明の第３及び第４の実施形態に係るイオン水生成装置の原理説明図である。
【図１９】本発明の第３の実施形態に係るイオン水生成装置の動作フローチャートである。
【図２０】本発明の第４の実施形態に係るイオン水生成装置の動作フローチャートである。
【図２１】本発明の第５の実施形態に係るイオン水生成装置の底面ケースの断面図、装置本体の底面図、装置本体の分解斜視図である。
【図２２】本発明の第５の実施形態に係るイオン水生成装置の漏水検知回路の回路図である。
【符号の説明】
【００８７】
１０  電解槽
１１  第１の電極板
１２  第２の電極板
１３  第３の電極板
１４  隔壁
１５  第１の電解室
１６  第２の電解室
１７  第３の電解室
１８  第４の電解室
２０  補助電解槽
２１  第１の補助電極板
２２  第２の補助電極板
２３  隔壁
２４  第１の補助電解室
２５  第２の補助電解室
３１  下浄水カートリッジ
３２  上浄水カートリッジ
４１  食塩添加筒
４２  カルシウム添加筒
５０  制御回路
５１  流量センサー
５２  水路切替
５３  強酸性検知スイッチ
５４  ＲＯＭ
６１  電源部
６２  排出口
６３  電磁弁
６４  電解水吐水口
６５  逆止弁
６６  水道管
６７  水道蛇口
６８  分岐栓
６９  給水ホース
７０  逆止弁
８１  補助電解槽水路
８２  排出水路
８３  電解槽水路
８４  上浄水カートリッジ水路
８５  流量センサー水路
８６  水路切替水路
８７  吐水水路
９０  操作パネル
９０ａ  電源ボタン
９０ｂ  ORP表示ボタン
９０ｃ  通水量表示ボタン
９０ｄ  強アルカリ水供給ボタン
９０ｅ  第１レベルのアルカリ水供給ボタン
９０ｆ  第２レベルのアルカリ水供給ボタン
９０ｇ  第３レベルのアルカリ水供給ボタン
９０ｈ  浄水供給ボタン
９０ｉ  酸性水供給ボタン
９０ｊ  衛生水供給ランプ
９０ｋ  寿命設定上ボタン
９０ｌ  寿命設定下ボタン
９０ｍ  リセットボタン
９０ｎ  洗浄中ランプ
９０ｏ  すすぎランプ
９０ｐ  上浄水カートリッジ交換時期ランプ
９０ｑ  下浄水カートリッジ交換時期ランプ
９０ｒ  温度上昇ランプ
９１  7セグメントLED
１１０  浄水カートリッジ
１２０  装置本体
１２１  電解槽
１２１ａ  第１の電解室
１２１ｂ  第２の電解室
１２１ｃ  第３の電解室
１２１ｄ  第４の電解室
１２１ｅ  第１の電極板
１２１ｆ  第２の電極板
１２１ｇ  第３の電極板
１２１ｈ  隔壁
１２１ｉ  隔壁
１２２  吐水流出口
１２３  排水流出口
１２４  電磁弁
１２６  分岐部分
１２７  アルカリ流路
１２８  酸性流路
１２９  カルシウムケース
１３０  水栓本体
１３１  吐水管
１３２  排水管
１３３  ハンドル
１４０  操作部
１４１  強アルカリボタン
１４２ａ  アルカリ３ボタン
１４２ｂ  アルカリ２ボタン
１４２ｃ  アルカリ１ボタン
１４２ｄ  浄水ボタン
１４３  酸性水ボタン
１４４  リセットボタン
１４５  適正流量ランプ
１４１ａ  強アルカリランプ
１４２ｅ  アルカリ３ランプ
１４２ｆ  アルカリ２ランプ
１４２ｇ  アルカリ１ランプ
１４２ｈ  浄水ランプ
１４３ａ  酸性水ランプ
１４６  カートリッジ交換ランプ
１４７  洗浄中ランプ
１５０  本体操作部
１５１ａ  １００００ｌ寿命設定ボタン
１５１ｂ  ８０００ｌ寿命設定ボタン
１５１ｃ  ４０００ｌ寿命設定ボタン
１５１ｄ  １００００ｌ寿命設定ランプ
１５１ｅ  ８０００ｌ寿命設定ランプ
１５１ｆ  ４０００ｌ寿命設定ランプ
１５１  蓋
１５２  決定ボタン
１６１  原水−装置本体間ホース
１６２  水栓本体−装置本体間ホース
１６４  吐水ホース
１６５  排水ホース
１７１  制御部
１７２  電源部
１７３  操作部コード
１７４  記録部
１８０  底面ケース
１８０ａ  漏水検知確認端子が固定されている底面ケース部分
１８１  コントロールIC
１８１ａ  確認信号出力端子
１８１ｂ  漏水検知確認端子
１８２  トランジスタ
１８３  トランジスタ
１８４  漏水検知確認端子
１８５  コンデンサ
２０１  本体ケース
２０２  電解槽
２０２ａ、１０２ｂ  室
２０３  配管
２０６  定流量弁
２０７  給水用電磁弁
２０８  浄水カートリッジ
２０９  流量センサー
２１０  分岐管
２１１  カルシュウム添加筒
２１２  酸性用電磁弁
２１３  トランス
２１７  操作パネル
２２６  酸性イオン水出口
２２８  アルカリイオン水出口
２５０  発光表示部
【図１】
2006263663.tif 000003
【図２】
2006263663.tif 000004
【図３】
2006263663.tif 000005
【図４】
2006263663.tif 000006
【図５】
2006263663.tif 000007
【図６】
2006263663.tif 000008
【図７】
2006263663.tif 000009
【図８】
2006263663.tif 000010
【図９】
2006263663.tif 000011
【図１０】
2006263663.tif 000012
【図１１】
2006263663.tif 000013
【図１２】
2006263663.tif 000014
【図１３】
2006263663.tif 000015
【図１４】
2006263663.tif 000016
【図１５】
2006263663.tif 000017
【図１６】
2006263663.tif 000018
【図１７】
2006263663.tif 000019
【図１８】
2006263663.tif 000020
【図１９】
2006263663.tif 000021
【図２０】
2006263663.tif 000022
【図２１】
2006263663.tif 000023
【図２２】
2006263663.tif 000024